(57)【要約】【課題】簡単な処理で２層の光ディスクであるか１層の光ディスクであるかを判別することができる光ディスク記録再生装置を提供する。【解決手段】光ディスクが挿入され、マウント処理が開始すると、光ディスクの記録面に対して光ピックアップから出射される１層用レーザ光のフォーカスを合わせるため１層用レーザ光をフォーカスオンの状態にし、１層用レーザ光が光ディスクの記録面に照射されて反射された反射光のうち光ピックアップのメイン受光部から漏れた漏れ光の一部を光ピックアップのサブ受光部で受光して得られたサブＴＥ信号を測定して、その信号のオフセットが閾値以上であるか否かを判定する。オフセットが閾値以上であると判定された場合は、挿入されている光ディスクを２層の光ディスクであると判定し、オフセットが閾値未満であると判定された場合は、挿入されている光ディスクを１層の光ディスクであると判定する。【選択図】図４
2007149162.tif 000002
【特許請求の範囲】
【請求項１】
少なくとも２種の波長の異なるレーザ光を出射できる光ピックアップを備え、１層の光ディスクまたは２層の光ディスクに対して情報の記録／再生を行うことが可能な光ディスク記録再生装置において、
光ディスクが挿入され、マウント処理が開始して、この光ディスクの記録面に対して１層用レーザ光のフォーカスを合わせるフォーカスオン状態で１層用レーザ光を出射させるように前記光ピックアップを制御する光ピックアップ制御手段と、
前記１層用レーザ光が前記フォーカスオン状態で光ディスクの記録面に照射されて反射された反射光のうち前記光ピックアップのメイン受光部から漏れた漏れ光の一部を前記光ピックアップのサブ受光部で受光して得られた前記光ピックアップからのサブトラッキングエラー信号を測定して、そのサブトラッキングエラー信号のオフセットが閾値以上であるか否かを判定するオフセット判定手段と、
前記オフセットが閾値以上であると判定された場合は挿入されている光ディスクを２層の光ディスクであると判定し、前記オフセットが閾値未満であると判定された場合は挿入されている光ディスクを１層の光ディスクであると判定するディスク判定手段と、を有するシステムコントローラを備えたことを特徴とする光ディスク記録再生装置。
【請求項２】
少なくとも２種の波長の異なるレーザ光を出射できる光ピックアップを備え、１層の光ディスクまたは２層の光ディスクに対して情報の記録／再生を行うことが可能な光ディスク記録再生装置において、
光ディスクが挿入され、マウント処理が開始して、この光ディスクの記録面に対して１層用レーザ光のフォーカスを合わせるフォーカスオン状態で１層用レーザ光を前記光ピックアップから出射させ、前記１層用レーザ光が前記フォーカスオン状態で光ディスクの記録面に照射されて反射された反射光のうちの漏れ光を受光して得られた前記光ピックアップからのサブトラッキングエラー信号を測定し、そのサブトラッキングエラー信号のオフセットが、閾値以上であれば挿入されている光ディスクを２層の光ディスクであると判定し、閾値未満であれば挿入されている光ディスクを１層の光ディスクであるという判定を行うシステムコントローラを備えたことを特徴とする光ディスク記録再生装置。
【請求項３】
前記１層用レーザ光が前記フォーカスオン状態で光ディスクの記録面に照射されて反射された反射光のうちの漏れ光を受光して得られた前記光ピックアップからのサブトラッキングエラー信号とは、前記１層用レーザ光が前記フォーカスオン状態で光ディスクの記録面に照射されて反射された反射光のうち前記光ピックアップのメイン受光部から漏れた漏れ光の一部を前記光ピックアップのサブ受光部で受光して得られた前記光ピックアップからのサブトラッキングエラー信号であることを特徴とする請求項２に記載の光ディスク記録再生装置。
【請求項４】
前記システムコントローラは、光ディスクが挿入され、マウント処理が開始して、この光ディスクの記録面に対して１層用レーザ光のフォーカスを合わせるフォーカスオン状態で１層用レーザ光を出射させるように前記光ピックアップを制御する光ピックアップ制御手段と、前記１層用レーザ光が前記フォーカスオン状態で光ディスクの記録面に照射されて反射された反射光のうち前記光ピックアップのメイン受光部から漏れた漏れ光の一部を前記光ピックアップのサブ受光部で受光して得られた前記光ピックアップからのサブトラッキングエラー信号を測定して、そのサブトラッキングエラー信号のオフセットが閾値以上であるか否かを判定するオフセット判定手段と、前記オフセットが閾値以上であると判定された場合は挿入されている光ディスクを２層の光ディスクであると判定し、前記オフセットが閾値未満であると判定された場合は挿入されている光ディスクを１層の光ディスクであると判定するディスク判定手段とを有することを特徴とする請求項２に記載の光ディスク記録再生装置。
【発明の詳細な説明】
【技術分野】
【０００１】
本発明は、少なくとも２種の波長の異なるレーザ光を出射できる光ピックアップを備え、１層の光ディスクまたは２層の光ディスクに対して情報の記録／再生を行うことが可能な光ディスク記録再生装置に関し、特に、１層の光ディスクと２層の光ディスクとの判別を行う際のディスク判別処理に関する。
【背景技術】
【０００２】
従来から光ディスク記録再生装置は、挿入されている光ディスクの種類の判別を行うためのディスク判別機能を有し、ディスク規格で定められているリードインゾーン（Lead In Zone）のディスク情報もしくはアドレス情報を読み出し後に、そのディスク情報もしくはアドレス情報から論理的に２層の光ディスクであるか１層の光ディスクであるかを判別している。
【０００３】
例えば、特許文献１に記載の光ディスク記録再生装置では、挿入された光ディスクから得られる少なくとも２つの制御信号（再生信号とフォーカス信号とを含む制御信号、再生信号とトラッキングエラー信号とを含む制御信号、フォーカスエラー信号とトラッキングエラー信号とを含む制御信号、フォーカスエラー信号のレベルとフォーカスエラー信号のＳカーブの数とを含む制御信号、フォーカスオン信号とトラッキングエラー信号とを含む制御信号、あるいはトラッキングエラー信号のオフセット量とトラッキングエラー信号のレベルとを含む制御信号）をそれぞれ検出する第１および第２の信号検出手段と、前記第１および第２の信号検出手段の検出結果に応じて、挿入された光ディスクの種類を判別する判別手段とが備えられ、挿入された光ディスクの種類（ＤＶＤ−Ｓ（１層ディスク）、ＤＶＤ−Ｄ（２層ディスク）、ＣＤ、ＣＤ−Ｒ）を判別するようにしている。
【０００４】
また、特許文献２に記載の光学的記録媒体の識別装置は、トラッキングサーボのオフ状態において第１光ピックアップもしくは第２の光ピックアップにより検知されるトラッキングエラー信号のオフセットの有無もしくは大小を判別する判別手段を備え、挿入された光ディスクの種類（ＣＤと片面記録ＳＤもしくは両面記録・片面読出ＳＤもしくは片面記録の高密度ＳＤもしくは両面記録・片面読出の高密度ＳＤ）を判別するようにしている。
【０００５】
また、特許文献３に記載の光ディスク記録再生装置は、挿入された光ディスク表面でのレーザ光の反射量に基づいて生成される和信号とフォーカスエラー信号を、波長の異なるレーザ光のそれぞれに対して検出し、これら検出した波長の異なるレーザ光による前記和信号とフォーカスエラー信号とにより、前記挿入された光ディスクの種類（ＤＶＤ−ＲＡＭ、ＤＶＤ−ＲＯＭ（２層）、ＣＤ−Ｒ、ＤＶＤ−ＲＯＭ（１層）、ＣＤ−ＲＯＭ、ＣＤ−Ｒ）を判別するようにしている。また、挿入された光ディスク表面でのレーザ光の反射量に基づいて生成されるフォーカスエラー信号のゼロクロスの回数に基づいて、前記挿入された光ディスクの種類を判別するようにしている。
【特許文献１】特開平９−３２０１８０号公報
【特許文献２】特開平９−２０４７０５号公報
【特許文献３】特開平１１−２１３５３０号公報
【発明の開示】
【発明が解決しようとする課題】
【０００６】
しかしながら、特許文献１に記載の光ディスク記録再生装置では、挿入された光ディスクから得られる少なくとも２つの制御信号をそれぞれ検出し、この検出結果に応じて、挿入された光ディスクの種類を判別するようにしているので、光ディスクの種類を判別するための少なくとも２つの制御信号が必要になるが、それらの２つの制御信号は、光ディスクを挿入した後のマウント処理が最後まで行わないと取り出せないし、特に、２層の光ディスク（ＤＶＤ−Ｄ）を判別するのに、１層目の記録面からの反射光による信号と２層目の記録面からの反射光による信号との平均の値を判別データとして用いているが、この判別データを生成するのに、１層目の記録面と２層目の記録面の両面にレーザビーム（レーザ光）を照射させなければならないので、光ピックアップの制御やディスク判別の処理が複雑化し、ディスク判別の処理時間も多くかかるという課題が生じる。
【０００７】
また、特許文献２に記載の光学的記録媒体の識別装置では、トラッキングサーボのオフ状態において第１光ピックアップもしくは第２光ピックアップにより検知されるトラッキングエラー信号のオフセットの有無もしくは大小を判別して光ディスクの種類を判別しているが、２層の光ディスクの判別については開示されていない。
【０００８】
また、特許文献３に記載の光ディスク記録再生装置は、挿入された光ディスクの種類を判別するのに、挿入された光ディスク表面でのレーザ光の反射量に基づいて生成される和信号とフォーカスエラー信号を、波長の異なるレーザ光のそれぞれに対して検出し、これら検出した波長の異なるレーザ光による前記和信号とフォーカスエラー信号により、前記挿入された光ディスクの種類を判別するようにしているので、特に、２層の光ディスクを判別するのに、１層目の記録面と２層目の記録面の両面にレーザ光を照射させなければならず、ディスク判別の処理が複雑化し、判別処理時間も多くかかるという課題が生じる。
【０００９】
本発明は、上記のような課題を解決するためになされたもので、簡単な処理で２層の光ディスクであるか１層の光ディスクであるかを判別することができるディスク判別機能を有する光ディスク記録再生装置を提供することを目的とする。
【課題を解決するための手段】
【００１０】
上記目的を達成するために、請求項１の発明は、少なくとも２種の波長の異なるレーザ光を出射できる光ピックアップを備え、１層の光ディスクまたは２層の光ディスクに対して情報の記録／再生を行うことが可能な光ディスク記録再生装置において、光ディスクが挿入され、マウント処理が開始して、この光ディスクの記録面に対して１層用レーザ光のフォーカスを合わせるフォーカスオン状態で１層用レーザ光を出射させるように前記光ピックアップを制御する光ピックアップ制御手段と、前記１層用レーザ光が前記フォーカスオン状態で光ディスクの記録面に照射されて反射された反射光のうち前記光ピックアップのメイン受光部から漏れた漏れ光の一部を前記光ピックアップのサブ受光部で受光して得られた前記光ピックアップからのサブトラッキングエラー信号を測定して、そのサブトラッキングエラー信号のオフセットが閾値以上であるか否かを判定するオフセット判定手段と、前記オフセットが閾値以上であると判定された場合は挿入されている光ディスクを２層の光ディスクであると判定し、前記オフセットが閾値未満であると判定された場合は挿入されている光ディスクを１層の光ディスクであると判定するディスク判定手段とを有するシステムコントローラを備えたことを特徴とする光ディスク記録再生装置を提供する。
【００１１】
この構成において、光ディスクが挿入され、マウント処理が開始すると、光ピックアップ制御手段は、光ディスクの記録面に対して１層用レーザ光のフォーカスを合わせるため、１層用レーザ光をフォーカスオンの状態にする。このフォーカスオン状態において、オフセット判定手段は、前記１層用レーザ光が光ディスクの記録面に照射されて反射された反射光のうち光ピックアップのメイン受光部から漏れた漏れ光の一部を光ピックアップのサブ受光部で受光して得られた光ピックアップからのサブトラッキングエラー信号を測定して、そのオフセットが閾値以上であるか否かを判定する。ディスク判定手段は、前記オフセットが閾値以上であると判定された場合は、挿入されている光ディスクを２層の光ディスクであると判定し、前記オフセットが閾値未満であると判定された場合は、挿入されている光ディスクを１層の光ディスクであると判定する。
【００１２】
この構成によれば、１層用レーザ光が光ディスクの記録面に照射されて反射された反射光のうち光ピックアップのメイン受光部から漏れた漏れ光の一部を光ピックアップのサブ受光部で受光して得られた光ピックアップからのサブトラッキングエラー信号のオフセットが閾値以上であるか否かを判定することにより、挿入されている光ディスクが２層の光ディスクであるか１層の光ディスクであるかの判定を行うようにしたので、光ディスクのリードインゾーンのディスク情報もしくはアドレス情報の読み取り前に、即ちマウント処理が終了するまでに、挿入されている光ディスクが２層の光ディスクであるか１層の光ディスクであるかを簡単な処理で判別することができ、これにより、挿入されている光ディスクに応じた設定処理が早くでき、この結果、挿入されている光ディスクに対して記録または再生を早く開始させることができる。
【００１３】
請求項２の発明は、少なくとも２種の波長の異なるレーザ光を出射できる光ピックアップを備え、１層の光ディスクまたは２層の光ディスクに対して情報の記録／再生を行うことが可能な光ディスク記録再生装置において、光ディスクが挿入され、マウント処理が開始して、この光ディスクの記録面に対して１層用レーザ光のフォーカスを合わせるフォーカスオン状態で１層用レーザ光を前記光ピックアップから出射させ、前記１層用レーザ光が前記フォーカスオン状態で光ディスクの記録面に照射されて反射された反射光のうちの漏れ光を受光して得られた前記光ピックアップからのサブトラッキングエラー信号を測定し、そのサブトラッキングエラー信号のオフセットが、閾値以上であれば挿入されている光ディスクを２層の光ディスクであると判定し、閾値未満であれば挿入されている光ディスクを１層の光ディスクであるという判定を行うシステムコントローラを備えたことを特徴とする光ディスク記録再生装置を提供する。
【００１４】
この構成において、光ディスクが挿入され、マウント処理が開始して、この光ディスクの記録面に対してフォーカスオン状態で光ピックアップから１層用レーザ光を出射させると、１層用レーザ光が光ディスクの記録面に照射されて、反射された反射光のうちの漏れ光が光ピックアップで受光され、この漏れ光によるサブトラッキングエラー信号のオフセットが、閾値以上であれば、挿入されている光ディスクは２層の光ディスクであると判定され、閾値未満であれば、挿入されている光ディスクは１層の光ディスクであると判定される。
【００１５】
この構成によれば、１層用レーザ光が光ディスクの記録面に照射されて反射された反射光のうちの漏れた漏れ光を光ピックアップで受光して得られたサブトラッキングエラー信号のオフセットが閾値以上であるか否かを判定することにより、挿入されている光ディスクが２層の光ディスクであるか１層の光ディスクであるのかの判定を行うようにしたので、光ディスクのリードインゾーンのディスク情報もしくはアドレス情報の読み取り前に、即ちマウント処理が終了するまでに、挿入されている光ディスクが２層の光ディスクであるか１層の光ディスクであるかを簡単な処理で判別することができ、これにより、挿入されている光ディスクに応じた設定処理が早くでき、この結果、挿入されている光ディスクに対して記録または再生を早く開始させることができる。
【００１６】
請求項３の発明では、請求項２の発明において、前記１層用レーザ光が前記フォーカスオン状態で光ディスクの記録面に照射されて反射された反射光のうちの漏れ光を受光して得られた前記光ピックアップからのサブトラッキングエラー信号とは、前記１層用レーザ光が前記フォーカスオン状態で光ディスクの記録面に照射されて反射された反射光のうち前記光ピックアップのメイン受光部から漏れた漏れ光の一部を前記光ピックアップのサブ受光部で受光して得られた前記光ピックアップからのサブトラッキングエラー信号であるので、前記光ピックアップのサブ受光部からのサブトラッキングエラー信号を用いれば、挿入されている光ディスクが２層の光ディスクであるか１層の光ディスクであるかの判定を簡単な処理で行うことができるようになる。
【００１７】
請求項４の発明では、請求項２の発明において、前記システムコントローラは、光ディスクが挿入され、マウント処理が開始して、この光ディスクの記録面に対して１層用レーザ光のフォーカスを合わせるフォーカスオン状態で１層用レーザ光を出射させるように前記光ピックアップを制御する光ピックアップ制御手段と、前記１層用レーザ光が前記フォーカスオン状態で光ディスクの記録面に照射されて反射された反射光のうち前記光ピックアップのメイン受光部から漏れた漏れ光の一部を前記光ピックアップのサブ受光部で受光して得られた前記光ピックアップからのサブトラッキングエラー信号を測定して、そのサブトラッキングエラー信号のオフセットが閾値以上であるか否かを判定するオフセット判定手段と、前記オフセットが閾値以上であると判定された場合は挿入されている光ディスクを２層の光ディスクであると判定し、前記オフセットが閾値未満であると判定された場合は挿入されている光ディスクを１層の光ディスクであると判定するディスク判定手段とを有する。
【００１８】
したがって、前記システムコントローラは、光ピックアップ制御処理、オフセット判定処理、およびディスク判定処理を実現でき、これにより、サブトラッキングエラー信号のオフセットが閾値以上であるか否かの判定を行うことができ、挿入されている光ディスクが２層の光ディスクであるか１層の光ディスクであるかの判定を行うことが可能になる。
【発明の効果】
【００１９】
以上のように本発明によれば、少なくとも２種の波長の異なるレーザ光を出射できる光ピックアップを備え、１層の光ディスクまたは２層の光ディスクに対して情報の記録／再生を行うことが可能な光ディスク記録再生装置において、光ディスクが挿入され、マウント処理が開始して、この光ディスクの記録面に対して１層用レーザ光のフォーカスを合わせるフォーカスオン状態で１層用レーザ光を出射させるように前記光ピックアップを制御する光ピックアップ制御手段と、前記１層用レーザ光が前記フォーカスオン状態で光ディスクの記録面に照射されて反射された反射光のうち前記光ピックアップのメイン受光部から漏れた漏れ光の一部を前記光ピックアップのサブ受光部で受光して得られた前記光ピックアップからのサブトラッキングエラー信号を測定して、そのサブトラッキングエラー信号のオフセットが閾値以上であるか否かを判定するオフセット判定手段と、前記オフセットが閾値以上であると判定された場合は挿入されている光ディスクを２層の光ディスクであると判定し、前記オフセットが閾値未満であると判定された場合は挿入されている光ディスクを１層の光ディスクであると判定するディスク判定手段とを有するシステムコントローラを備えたので、光ディスクのリードインゾーンのディスク情報もしくはアドレス情報の読み取り前に、即ちマウント処理が終了するまでに、挿入されている光ディスクが２層の光ディスクであるか１層の光ディスクであるかを簡単な処理で判別することができ、これにより、挿入されている光ディスクに応じた設定処理が早くでき、この結果、挿入されている光ディスクに対して記録または再生を早く開始させることができる。
【００２０】
また、本発明によれば、少なくとも２種の波長の異なるレーザ光を出射できる光ピックアップを備え、１層の光ディスクまたは２層の光ディスクに対して情報の記録／再生を行うことが可能な光ディスク記録再生装置において、光ディスクが挿入され、マウント処理が開始して、この光ディスクの記録面に対して１層用レーザ光のフォーカスを合わせるフォーカスオン状態で１層用レーザ光を前記光ピックアップから出射させ、前記１層用レーザ光が前記フォーカスオン状態で光ディスクの記録面に照射されて反射された反射光のうちの漏れ光を受光して得られた前記光ピックアップからのサブトラッキングエラー信号を測定し、そのサブトラッキングエラー信号のオフセットが、閾値以上であれば挿入されている光ディスクを２層の光ディスクであると判定し、閾値未満であれば挿入されている光ディスクを１層の光ディスクであるという判定を行うシステムコントローラを備えたので、光ディスクのリードインゾーンのディスク情報もしくはアドレス情報の読み取り前に、即ちマウント処理が終了するまでに、挿入されている光ディスクが２層の光ディスクであるか１層の光ディスクであるかを簡単な処理で判別することができ、これにより、挿入されている光ディスクに応じた設定処理が早くでき、この結果、挿入されている光ディスクに対して記録または再生を早く開始させることができる。
【発明を実施するための最良の形態】
【００２１】
以下、添付図面を参照しつつ、本発明の実施の形態について説明する。図１は本発明の一実施形態に係る光ディスク記録再生装置の構成を示すブロック図である。
【００２２】
この光ディスク記録再生装置は、装置全体を制御するシステムコントローラ２２と、光ディスク１を回転させるスピンドルモータ５と、少なくとも２種の波長の異なるレーザ光を出射でき、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を介してスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行ったり、光ピックアップ２のチルト制御を行ったりするサーボ制御部４とを備えている。
【００２３】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータを再生用バッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２４】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧ（Moving Picture Experts Group）でデコード処理を行うビデオＭＰＥＧデコーダ１５と、このビデオＭＰＥＧデコーダ１５でのデコード処理を行うためにデータを一時的に格納するＲＡＭ１４とを備えている。
【００２５】
また、この光ディスク記録再生装置は、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００２６】
また、この光ディスク記録再生装置は、システムコントローラ２２に対して、記録指示を与えるための記録キー、再生指示を与えるための再生キー、記録や再生の停止指示を与えるための停止キー、電源キーなど各種操作キーを有するリモコン２１とを備えている。また、この光ディスク記録再生装置は、装置の各構成要素を制御したり、装置全体を制御したりするためのプログラムやデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００２７】
また、この光ディスク記録再生装置は、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（エンコードデータ）を一時的に所定量だけ格納する記録用バッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２８】
システムコントローラ２２は、本実施形態の特徴とする構成要素として、光ディスク１が挿入され、マウント処理が開始して、この光ディスク１の記録面に対して１層用レーザ光のフォーカスを合わせるフォーカスオン状態で１層用レーザ光を出射させるように光ピックアップ２を制御する光ピックアップ制御手段２２１と、前記１層用レーザ光が前記フォーカスオン状態で光ディスク１の記録面に照射されて反射された反射光のうち光ピックアップ２のメイン受光部２ａ（図２参照）から漏れた漏れ光の一部を光ピックアップ２のサブ受光部２ｂ（図２参照）で受光して得られた光ピックアップ２からのサブトラッキングエラー信号を測定して、そのサブトラッキングエラー信号のオフセットが閾値以上であるか否かを判定するオフセット判定手段２２２と、前記オフセットが閾値以上であると判定された場合は、挿入されている光ディスク１を２層の光ディスクであると判定し、前記オフセットが閾値未満であると判定された場合は、挿入されている光ディスク１を１層の光ディスクであると判定するディスク判定手段２２３とを有する。
【００２９】
図２は本実施形態において光ピックアップに含まれる受光部およびトラッキングエラー信号演算回路の構成を示すブロック図である。図３は前記受光部に備えられるメインフォトディテクタおよびサブフォトディテクタの各受光領域を示す図である。図３において、メインフォトディテクタ２０１は図から見て縦横の４つに分割された受光素子の受光領域ａ，ｂ，ｃ，ｄを有し、先行サブフォトディテクタ２０２は図から見て横に２つに分割された受光素子の受光領域ｅ，ｆを有し、後方サブフォトディテクタ２０３は図か見て横に２つに分割された受光素子の受光領域ｇ，ｈを有する。ここでメインフォトディテクタ２０１の受光領域ａ，ｂ，ｃ，ｄの出力信号をＡ，Ｂ，Ｃ，Ｄとし、先行サブフォトディテクタ２０２の受光素子の受光領域ｅ，ｆの出力信号をＥ，Ｆとし、後方サブフォトディテクタ２０３の受光領域ｇ，ｈの出力信号をＧ，Ｈとする。
【００３０】
図２において、光ピックアップ２は、光ディスクに対してメインビームとサブビームとから成るレーザ光を出射し、光ディスクの目的トラックからのメインビームの反射光を受光するメイン受光部２ａと、前記目的トラックからずれた位置からのサブビームの反射光を受光するサブビーム受光部２ｂと、トラッキングエラー信号演算回路６０とを含み構成されている。メイン受光部２ａは、光ディスク上の目的トラックからのメインビームの反射光を受光するメインフォトディテクタ２０１（図３参照）を有し、メインフォトディテクタ２０１は信号Ａ，Ｂ，Ｃ，Ｄを出力する。
【００３１】
また、サブ受光部２ｂは、光ディスク上の目的トラックからずれた位置からのサブビームの先行の反射光を受光する先行サブフォトディテクタ２０２（図３参照）と、光ディスク上の目的トラックからずれた位置からのサブビームの後方の反射光を受光する後方サブフォトディテクタ２０３（図３参照）とを有し、先行サブフォトディテクタ２０２は信号Ｅ，Ｆを出力し、後方サブフォトディテクタ２０３は信号Ｇ，Ｈを出力する。
【００３２】
トラッキングエラー信号演算回路６０は、和演算器６１、和演算器６２、差分演算器６３、和演算器６４、和演算器６５、および差分演算器６６を備えている。和演算器６１は、メイン受光部２ａからの信号Ａと信号Ｄとの和を取り、信号（Ａ＋Ｄ）として出力する。和演算器６２は、メイン受光部２ａからの信号Ｂと信号Ｃとの和を取り、信号（Ｂ＋Ｃ）として出力する。差分演算器６３は、和演算器６１からの信号（Ａ＋Ｄ）と和演算器６２からの信号（Ｂ＋Ｃ）との差を取り、信号[（Ａ＋Ｄ）−（Ｂ＋Ｃ）]として出力する。この信号[（Ａ＋Ｄ）−（Ｂ＋Ｃ）]は、ＴＥ（トラッキングエラー）信号となる。
【００３３】
和演算器６４は、サブ受光部２ｂからの信号Ｅと信号Ｈとの和を取り、信号（Ｅ＋Ｈ）として出力する。和演算器６５は、サブ受光部２ｂからの信号Ｆと信号Ｇとの和を取り、信号（Ｆ＋Ｇ）として出力する。差分演算器６６は、和演算器６４からの信号（Ｅ＋Ｈ）と和演算器６５からの信号（Ｆ＋Ｇ）との差を取り、信号[（Ｅ＋Ｈ）−（Ｆ＋Ｇ）]として出力する。この信号[（Ｅ＋Ｈ）−（Ｆ＋Ｇ）]は、サブＴＥ（トラッキングエラー）信号となる。
【００３４】
図４は本実施形態においてディスク判別の処理を説明するためのフローチャートである。このフローチャートおよび図１〜図３を参照してディスク判別の処理について説明する。
【００３５】
先ず、光ディスク１が光ディスク記録再生装置に挿入されると、システムコントローラ２２は、光ディスク１が挿入されたことを検出し（ステップＳ１）、光ディスク１を立ち上げてディスク情報を読み出す処理である所謂マウント処理を開始する（ステップＳ２）。そして、システムコントローラ２２の光ピックアップ制御手段２２１は、光ディスク１の記録面に対して１層用レーザ光のフォーカスを合わせるため、サーボ制御部４を制御して光ピックアップ２の図示しないフォーカス用アクチュエータを駆動させ、これにより、対物レンズを光ディスク１の記録面に対して垂直方向に移動させ、１層用レーザ光をフォーカスオンの状態にする（ステップＳ３）。
【００３６】
このフォーカスオン状態において、システムコントローラ２２のオフセット判定手段２２２は、前記１層用レーザ光が光ディスク１の記録面に照射されて反射された反射光のうち光ピックアップ２のメイン受光部２ａから漏れた漏れ光の一部を光ピックアップ２のサブ受光部２ｂで受光して得られた光ピックアップ２からのサブＴＥ信号（差分演算器６６の出力信号）を測定して（ステップＳ４）、そのオフセットが閾値以上であるか否かを判定する（ステップＳ５）。
【００３７】
サブＴＥ信号のオフセットが閾値以上であるか否かの判定を行う理由は、次のような理由によるものである。光ピックアップ２からのレーザ光が、光ディスク１が１層の光ディスクであっても２層の光ディスクであっても、光ディスク１の記録面に照射されるが、レーザ光のフォーカスは１層の光ディスクの記録面に設定されるので、挿入されている光ディスク１が２層の光ディスクの場合は、レーザ光が１層目の記録面に照射され、この照射されたレーザ光の一部が２層目の記録面まで届き、この２層目の記録面による反射光と１層目の記録面による反射光（メイン受光部２ａに入射される反射光以外の反射光）とが漏れ光となる。
【００３８】
一方、挿入されている光ディスク１が１層の光ディスクの場合は、メイン受光部２ａに入射される反射光以外の反射光が漏れ光となる。２層の光ディスクによる漏れ光と１層の光ディスクによる漏れ光とを比べると、２層の光ディスクによる漏れ光が１層の光ディスクによる漏れ光よりも多くなり、その結果、サブＴＥ信号のオフセットは２層の光ディスクの方が大きくなる。したがって、サブＴＥ信号のオフセットが閾値以上であるか否かの判定を行うことによって、光ディスク１が２層の光ディスクであるか１層の光ディスクであるかを判定することができる。
【００３９】
システムコントローラ２２のディスク判定手段２２３は、前記オフセットが閾値以上であると判定された場合は（ステップＳ５）、挿入されている光ディスク１を２層の光ディスクであると判定し（ステップＳ６）、前記オフセットが閾値未満であると判定された場合は（ステップＳ５）、挿入されている光ディスク１を１層の光ディスクであると判定する（ステップＳ８）。挿入されている光ディスク１が２層の光ディスクであると判定された場合は、システムコントローラ２２は、２層の光ディスクに対応した設定（２層の光ディスクの場合のスピンドルモータ５の回転数を１層の光ディスクの場合のスピンドルモータ５の回転数の１．１倍になるようにするモータ制御設定などの設定）を行い（ステップＳ７）、挿入されている光ディスク１が１層の光ディスクであると判定された場合は、システムコントローラ２２は、１層の光ディスクに対応した設定（１層の光ディスクの場合のスピンドルモータ５に対するモータ制御設定などの設定）を行う（ステップＳ９）。
【００４０】
以上説明したように本実施形態によれば、１層用レーザ光が光ディスクの記録面に照射されて反射された反射光のうち光ピックアップのメイン受光部から漏れた漏れ光の一部を光ピックアップのサブ受光部で受光して得られた光ピックアップからのサブトラッキングエラー信号のオフセットが閾値以上であるか否かを判定することにより、挿入されている光ディスクが２層の光ディスクであるか１層の光ディスクであるかの判定を行うようにしたので、光ディスクのリードインゾーンのディスク情報もしくはアドレス情報の読み取り前に、即ちマウント処理が終了するまでに、挿入されている光ディスクが２層の光ディスクであるか１層の光ディスクであるかを簡単な処理で判別することができ、これにより、挿入されている光ディスクに応じた設定処理が早くでき、この結果、挿入されている光ディスクに対して記録または再生を早く開始させることができる。
【図面の簡単な説明】
【００４１】
【図１】本発明の一実施形態に係る光ディスク記録再生装置の構成を示すブロック図である。
【図２】前記実施形態において光ピックアップに含まれる受光部およびトラッキングエラー信号演算回路の構成を示すブロック図である。
【図３】前記受光部に備えられるメインフォトディテクタおよびサブフォトディテクタの各受光領域を示す図である。
【図４】前記実施形態においてディスク判別の処理を説明するためのフローチャートである。
【符号の説明】
【００４２】
１    光ディスク
２    光ピックアップ
２ａ    メイン受光部
２ｂ    サブ受光部
２２    システムコントローラ
２２１    光ピックアップ制御手段
２２２    オフセット判定手段
２２３    ディスク判定手段
【図１】
2007149162.tif 000003
【図２】
2007149162.tif 000004
【図３】
2007149162.tif 000005
【図４】
2007149162.tif 000006